(57)【要約】【課題】１台のモニタ画面上で監視対象設備の動作状態とカメラ映像を関連付けて確認可能な監視システムを提供する。【解決手段】複数のエレベータを監視対象設備として監視する場合において、各エレベータ制御盤１１から得られる各エレベータの動作状態と、各エレベータの乗りかご２２内に設置された監視カメラ２３からの映像が監視室３に送られる。監視室３では、各エレベータの動作状態を特定の表示形態で監視モニタ３１に表示し、例えばカーソルによるエレベータの選択操作に伴い、そのエレベータに対応したカメラ映像を監視モニタ３１に表示する。これにより、１台の監視モニタ３１上で両者の情報を関連付けて確認することができる。【選択図】    図１
2004252763.tif 000002
【特許請求の範囲】
【請求項１】
１台のモニタ画面上で複数の監視対象設備を監視する監視システムであって、
上記各監視対象設備の動作状態を取得する動作状態取得手段と、
上記各監視対象設備のそれぞれに設けられた複数の監視カメラと、
上記動作状態取得手段によって得られた上記各監視対象設備の動作状態を特定の表示形態で上記モニタ画面上に表示した後、所定のタイミングで上記各監視対象設備に対応した上記各監視カメラの映像を選択的に上記モニタ画面上に表示する表示制御手段と
を具備したことを特徴とする監視システム。
【請求項２】
上記複数の監視対象設備とは、群管理制御された複数のエレベータであることを特徴とする請求項１記載の監視システム。
【請求項３】
上記各監視カメラは、上記各エレベータの乗りかご内に設置されていることを特徴とする請求項２記載の監視システム。
【請求項４】
上記モニタ画面上に表示された上記各監視対象設備を選択する選択手段を備え、
上記表示制御手段は、上記選択手段によって上記各監視対象設備のいずれかが選択されたときに、その選択された監視対象設備に対応した上記監視カメラの映像を上記モニタ画面上に表示することを特徴とする請求項１記載の監視システム。
【請求項５】
上記表示制御手段は、上記選択手段によって上記各監視対象設備のいずれかが選択された状態が所定時間以上経過したときに、その選択された監視対象設備に対応した上記監視カメラの映像を上記モニタ画面上に表示することを特徴とする請求項４記載の監視システム。
【請求項６】
上記表示制御手段は、上記選択手段によって上記各監視対象設備のいずれかが選択された後、所定の操作があったときに、その選択された監視対象設備に対応した上記監視カメラの映像を上記モニタ画面上に表示することを特徴とする請求項４記載の監視システム。
【請求項７】
上記各監視対象設備の異常発生を検知する異常発生検知手段を備え、
上記表示制御手段は、上記異常発生検知手段によって異常発生が検知されたときに、該当する監視対象設備に対応した上記監視カメラの映像を上記モニタ画面上に表示することを特徴とする請求項１記載の監視システム。
【請求項８】
上記各監視対象設備に対する不正操作を検知する不正操作検知手段を備え、
上記表示制御手段は、上記不正操作検知手段によって不正操作が検知されたときに、該当する監視対象設備に対応した上記監視カメラの映像を上記モニタ画面上に表示することを特徴とする請求項１記載の監視システム。
【請求項９】
上記各監視カメラの映像を記録する映像記録手段を備え、
上記表示制御手段は、上記モニタ画面上での映像再生操作に従って上記映像記録手段から該当する監視対象設備に対応した上記監視カメラの映像を読み出して上記モニタ画面上に表示することを特徴とする請求項１記載の監視システム。
【発明の詳細な説明】
【０００１】
【発明の属する技術分野】
本発明は、例えば複数のエレベータを監視対象設備として監視する監視システムに関する。
【０００２】
【従来の技術】
従来、エレベータに用いられる監視システムとしては、制御盤から得られる各エレベータの動作状態をモニタ画面上に表示するシステム（例えば、特許文献１参照）や、各エレベータの乗りかご内の状態を監視カメラで撮影し、そのカメラ映像をモニタ画面上に表示するシステム（例えば、特許文献２参照）が知られている。
【０００３】
前者のシステムは昇降機設備監視システムなどと呼ばれ、後者のシステムはカメラ監視システムなどと呼ばれる。この２つのシステムは互いに独立して存在し、監視室では、これらのシステムに対応したモニタ画面をそれぞれ設置しておくことで、監視員が何らかの異常が発生した場合に各モニタ画面を確認して対応している。
【０００４】
【特許文献１】
特開平１０−４５３４３号公報
【０００５】
【特許文献２】
特開２０００−１１８９００号公報
【０００６】
【発明が解決しようとする課題】
上述したように、従来、各エレベータの動作状態とカメラ映像は別系統の監視システムとして個別に存在していたため、監視室では、これらのシステムに対応したモニタ画面を設置するための広いスペースが必要であった。
【０００７】
また、エレベータの異常が発生した場合、監視員は上記各システムのモニタ画面を交互に見て対応しなければならなかったため、例えば異常が発生した場合に該当するカメラ映像を直ぐに見つけことができず、対応が遅れてしまうなどの問題があった。
【０００８】
さらに、この種の監視システムでは、監視カメラによって撮影された映像を磁気ディスク装置などの記録装置に記録するものがあるが、この記録装置は各エレベータの乗りかご内に監視カメラと共に設けられている。このため、異常発生時などにカメラ映像を確認したくとも、現場まで行かないと、そのカメラ映像を取り出すことができず、対応が遅れてしまうなどの問題があった。
【０００９】
本発明は上記のような点に鑑みなされたもので、１台のモニタ画面上で監視対象設備の動作状態とカメラ映像を関連付けて確認可能な監視システムを提供することを目的とする。
【００１０】
【課題を解決するための手段】
本発明の監視システムは、１台のモニタ画面上で複数の監視対象設備を監視する監視システムであって、上記各監視対象設備の動作状態を取得する動作状態取得手段と、上記各監視対象設備のそれぞれに設けられた複数の監視カメラと、上記動作状態取得手段によって得られた上記各監視対象設備の動作状態を特定の表示形態で上記モニタ画面上に表示した後、所定のタイミングで上記各監視対象設備に対応した上記各監視カメラの映像を選択的に上記モニタ画面上に表示する表示制御手段とを具備して構成される。
【００１１】
このような構成によれば、各監視対象設備の動作状態が特定の表示形態でモニタ画面上に表示されると共に、所定のタイミングで各監視対象設備に対応した各監視カメラの映像が表示されるので、１台のモニタ画面上で両者の情報を関連付けて確認することができる。
【００１２】
上記複数の監視対象設備とは、例えば群管理制御された複数のエレベータであり、上記各監視カメラは、これらのエレベータの乗りかご内に設置される。
【００１３】
また、本発明は、上記監視システムにおいて、上記モニタ画面上に表示された上記各監視対象設備を選択する選択手段を備え、上記表示制御手段は、上記選択手段によって上記各監視対象設備のいずれかが選択されたときに、その選択された監視対象設備に対応した上記監視カメラの映像を上記モニタ画面上に表示することを特徴とする。
【００１４】
このような構成によれば、例えばモニタ画面上でカーソルなどにより所望の監視対象設備を選択するだけの操作で、その監視対象設備に対応した監視カメラの映像を確認することができる。この場合、上記選択手段によって上記各監視対象設備のいずれかが選択された状態が所定時間以上経過したときに、あるいは、上記選択手段によって上記各監視対象設備のいずれかが選択された後、所定の操作があったときに、その選択された監視対象設備に対応した上記監視カメラの映像を上記モニタ画面上に表示することでも良い。
【００１５】
また、本発明は、上記監視システムにおいて、上記各監視対象設備の異常発生を検知する異常発生検知手段を備え、上記表示制御手段は、上記異常発生検知手段によって異常発生が検知されたときに、該当する監視対象設備に対応した上記監視カメラの映像を上記モニタ画面上に表示することを特徴とする。
【００１６】
このような構成によれば、各監視対象設備のいずれかに何らかの異常が発生した場合に、該当する監視対象設備に対応した監視カメラの映像が自動的にモニタ画面上に表示されるので、迅速かつ的確な対応を取ることができる。
【００１７】
また、本発明は、上記監視システムにおいて、上記各監視対象設備に対する不正操作を検知する不正操作検知手段を備え、上記表示制御手段は、上記不正操作検知手段によって不正操作が検知されたときに、該当する監視対象設備に対応した上記監視カメラの映像を上記モニタ画面上に表示することを特徴とする。
【００１８】
このような構成によれば、各監視対象設備のいずれかに何らかの不正操作が行われた場合に、該当する監視対象設備に対応した監視カメラの映像が自動的にモニタ画面上に表示されるので、迅速かつ的確な対応を取ることができる。
【００１９】
また、本発明は、上記監視システムにおいて、上記各監視カメラの映像を記録する映像記録手段を備え、上記表示制御手段は、上記モニタ画面上での映像再生操作に従って上記映像記録手段から該当する監視対象設備に対応した上記監視カメラの映像を読み出して上記モニタ画面上に表示することを特徴とする。
【００２０】
このような構成によれば、モニタ画面上で映像再生操作を行うことで、該当する監視対象設備に対応した監視カメラの映像がモニタ画面上に表示されるので、例えば異常発生時などに直ぐに所望のカメラ映像を確認することができる。
【００２１】
【発明の実施の形態】
以下、図面を参照して本発明の実施形態を説明する。
【００２２】
（第１の実施形態）
図１は本発明の第１の実施形態に係るエレベータ監視システムの構成を示す図であり、例えば大型マンションなどの建物に設置された複数のエレベータを監視対象とした場合の構成が示されている。
【００２３】
図１に示すように、エレベータ機械室１には、乗場呼びやかご呼びに応答してエレベータの昇降動作を制御するエレベータ制御盤１１と、監視室３との間で各種信号を送受信するための信号変換器１２とを備えている。昇降路２には、乗客２１を乗せて昇降する乗りかご２２と、乗りかご２２内に設置された監視カメラ２３とを備えている。このエレベータ制御盤１１と乗りかご２２は、建物内のエレベータの設置台数分あり、それぞれ監視室３に電気的に繋がっている。
【００２４】
監視室３には、監視モニタ３１と監視装置３２とＨＵＢ３３と映像切換手段３４とを備えている。監視モニタ３１は、各エレベータの動作状態とカメラ映像を監視するための表示デバイスである。この監視モニタ３１の画面構成については後に図２を参照して説明する。
【００２５】
監視装置３２は、コンピュータから構成され、図示せぬメモリに記憶されたプログラムに従って監視システム全体の制御を行う。この監視装置３２には、エレベータ通信手段３５と、映像入力手段３６と、シリアル通信手段３７とを備えている。エレベータ通信手段３５は、ＨＵＢ３３を介してエレベータ制御盤１１との間の通信制御を行う部分である。映像入力手段３６は、映像切換手段３４を介して監視カメラ２３の映像を入力する部分である。シリアル通信手段３７は、映像切換手段３４との間でシリアル通信を行う部分である。
【００２６】
このような構成において、エレベータ機械室１に備えられたエレベータ制御盤１１は、各階の乗場に設置された乗場呼びボタンや、乗りかご２２内に設置されたかご呼びボタンに応答して乗りかご２２を昇降させる運転制御や、階床表示器に対する表示制御などを司っている。信号変換器１２は、監視室３のＨＵＢ３３を介して監視装置３２のエレベータ通信手段３５に接続されている。複数のエレベータが設置されている場合には、複数の信号変換器１２がＨＵＢ３３のポートに接続され、エレベータと監視装置３２との間に通信ネットワークが形成されるようになっている。監視装置３２は、エレベータ通信手段３５を介して各エレベータのエレベータ制御盤１１から出力される階床信号、ＵＰ／ＤＮ信号、ドア開閉信号、管制運転信号等の動作信号を受取り、これらの動作信号に基づいて各エレベータの動作状態を監視モニタ３１に画面表示したり、エレベータ制御盤１１の運行管理の変更や指令を出す機能などを有している。
【００２７】
監視カメラ２３は、乗りかご２２の天井付近に設置されている。監視カメラ２３は常に起動状態であり、この監視カメラ２３によって撮影された映像信号は監視室３の映像切換手段３４を介して監視装置３２の映像入力手段３６に入力される。
【００２８】
映像切換手段３４には複数の監視カメラ２３が接続されており、その中の１つを選択して出力できる構成になっている。また、この映像切換手段３４は監視装置３２のシリアル通信手段３７と接続されており、監視装置３２からの制御信号によって出力映像の切換えが可能な構成になっている。これらの構成によってエレベータの監視カメラ２３の映像を監視装置３２に取り込み、監視モニタ３１に映し出すことが可能となる。
【００２９】
ここで、図２を参照して監視モニタ３１の画面構成について説明する。
【００３０】
図２は監視モニタ３１の画面構成を示す図であり、Ａ棟，Ｂ棟…などの建物内の設備配置図３１１（建物の横断面図）が表示されている。この設備配置図３１１の中にはバンク３１２が含まれ、さらにそのバンク３１２の中にはエレベータの動作表示部３１３が含まれる。
【００３１】
動作表示部３１３では、個々のエレベータの動作状態（例えばエレベータの乗りかごの移動方向、階床位置、運転状態、ドアの開閉状態など）が特定の表示形態で表示される。図２の例では、Ａ１バンク内の８台のエレベータと、Ｂ１バンク内の８台のエレベータの動作状態が示されている。図中の「∧」マークは上方向の移動、「∨」マークは上方向の移動、「−」マークは停止状態を表している。また、このマークの下部に付記された数字は階床番号である。つまり、Ａ１バンク内の上段一番左側のエレベータであれば、その乗りかごの現在位置が３階であり、そこから上方向に移動中であることが判る。さらに、例えば平常運転、故障、点検運転、管制運転、非常運転、救出運転、専用運転といった運転状態が色分け表示によって表されるようになっている。このようなエレベータの動作状態を示す表示は、エレベータ制御盤１１から得られる各種動作信号に基づいて行われる。
【００３２】
通常は建物全体の画面表示となっており、エレベータの詳細な動作状態を見たい場合にはバンク３１２あるいは動作表示部３１３をマウス等で選択することによって、画面が切り替わり詳細なデータを階層的に見ることができる。
【００３３】
ここで、図３および図４に示すように、バンク３１２内のいずれかのエレベータの動作表示部３１３上にカーソル３１４を所定時間以上重ね合わせるか、あるいは、動作表示部３１３上にカーソル３１４を重ね合わせた後にマウスをクリックすると、そのカーソル３１４にて選択された動作表示部３１３に対応したエレベータのカメラ映像３１５がウインドウ形式で監視モニタ３１上に表示される。このカメラ映像３１５は、監視カメラ２３から得られたものであり、ここではエレベータの乗りかご２２の状態を表している。
【００３４】
また、このカメラ映像３１５には、表示対象となっているエレベータの動作状態を示す詳細な情報（図４の例では号機識別番号「Ａ１−８」、階床「２」、移動方向「↑」）が付加される。
【００３５】
以下に、このとき処理動作について説明する。
【００３６】
図５は本システムにおける画面操作時の処理動作を示すフローチャートである。上述したように、監視室３に設けられた監視装置３２は、各エレベータのエレベータ制御盤１１から階床信号、ＵＰ／ＤＮ信号、ドア開閉信号、管制運転信号等の動作信号を受取り、これらの動作信号に基づいて各エレベータの動作状態を監視モニタ３１に表示している。このときの状態が図２であり、エレベータの動作状態が監視モニタ３１に設けられた動作表示部３１３の枠内に特定の表示形態で表示されている。
【００３７】
ここで、監視モニタ３１に表示されたバンク３１２内のいずれかの動作表示部３１３の上にカーソル３１４が置かれた場合に（ステップＡ１１のＹｅｓ）、監視装置３２は当該動作表示部３１３に対応したエレベータの号機情報を読み取ると共に図示せぬ内蔵タイマーを起動し（ステップＡ１２）、所定の時間が経過するまでの間、カーソル３１４が同じ号機にあるか否かを判断する（ステップＡ１３、Ａ１４）。
【００３８】
カーソル３１４が同じ号機の上にあった場合、つまり、カーソル３１４によって同じ動作表示部３１３が所定時間連続して選択された状態にあった場合には（ステップＡ１４のＹｅｓ）、監視装置３２は当該動作表示部３１３に対応したエレベータのカメラ映像３１５（ここでは乗りかご内の映像）を出力するように、映像切換手段３４に対して映像切換信号を送信する（ステップＡ１５）。この映像切換信号の送信後、監視装置３２は映像切換手段３４から入力されるカメラ映像３１５を受け取り、これを監視モニタ３１の画面上にウインドウ表示する（ステップＡ１６）。
【００３９】
なお、カメラ映像３１５は監視モニタ３１上にウインドウ形式で重ね合わせて表示する他に、例えば監視モニタ３１上に予め特定の表示領域を設けておき、その表示領域に表示することも良い。
【００４０】
また、動作表示部３１３上にカーソル３１４を置いた後にマウスをクリックすることでも、上記同様にカメラ映像３１５を表示することができる。
【００４１】
このように、監視モニタ３１上で所望のエレベータの動作表示部３１３をカーソル３１４で選択するだけで、当該エレベータのカメラ映像３１５を簡単に確認することができる。しかも、一つの画面上でエレベータの動作状態と監視カメラ映像の両方を対比させて確認するができるため、緊急時などに迅速かつ的確な対応を取ることができる。
【００４２】
（異常発生時）
次に、本システムにおける異常発生時の動作について説明する。
【００４３】
上述したように、本システムでは、監視モニタ３１上でカーソル操作によって所望のエレベータのカメラ映像３１５を任意選択的に表示することができるが、このような明示的な操作とは別に、異常が発生した場合に自動的に該当するエレベータのカメラ映像３１５を表示する機能を備えている。
【００４４】
以下に、このとき処理動作について説明する。
【００４５】
図６は本システムにおける異常発生時の処理動作を示すフローチャートである。エレベータの故障等による何らかの異常が発生した場合、そのエレベータの制御盤１１に設けられた信号変換器１２から異常信号が監視装置３２に対して出力される。
【００４６】
ここで、監視装置３２では、エレベータ制御盤１１から異常信号を受信すると（ステップＢ１１）、その異常信号に基づいてエレベータの号機と異常内容を判別し、監視モニタ３１上の該当する動作表示部３１３に異常発生状態を表示する（ステップＢ１２、Ｂ１３）。
【００４７】
続いて、監視装置３２は、異常が発生しているエレベータのカメラ映像３１５（ここでは乗りかご内の映像）を出力するように、映像切換手段３４に対して映像切換信号を送信する（ステップＢ１４）。この映像切換信号の送信後、監視装置３２は映像切換手段３４から入力されるカメラ映像３１５を受け取り、これを監視モニタ３１の画面上にウインドウ表示する（ステップＢ１５）。
【００４８】
このように、異常が発生した場合に、該当するエレベータのカメラ映像３１５が自動的に表示されるため、監視員は乗りかご２２内に乗客が乗っているかどうか、暴れている人がいないかどうか、けが人がいないかどうか等の状況を素早く把握することがでは、例えば救急車や警備員を手配するための対応を的確に行うことができる。
【００４９】
（不正操作検出時）
次に、本システムにおける不正操作検出時の動作について説明する。
【００５０】
例えば外部者が勝手にエレベータを利用できないようにするため、各エレベータ毎に個人認証機器が備えられている場合がある。このときの個人認証の方法としては、例えばパスワードの入力、指紋や声紋の照合、個人認証カードの読取りなどがある。これらの中の１つ、あるいは、複数の方法を組み合わせて、乗場などで予めエレベータの利用が許可された者であるか否かを判別する。許可された者であれば、エレベータのドアを開いて通常の運転を行うが、許可された者でない場合にはエレベータの運転を禁止する。本システムでは、このような個人認証機能付きのエレベータに対する不正な操作を検知した場合に、自動的に該当するエレベータのカメラ映像３１５を表示する機能を備えている。
【００５１】
以下に、このとき処理動作について説明する。
【００５２】
図７は本システムにおける不正操作検出時の処理動作を示すフローチャートである。上述した個人認証機器に例えば間違ったパスワードが何度も入力されるなど、所定回数以上の不正な操作があったことが検出されると、エレベータ制御盤１１から信号変換器１２を介してその旨の不正検出信号が監視装置３２に対して出力される。
【００５３】
ここで、監視装置３２では、エレベータ制御盤１１から不正検出信号を受信すると（ステップＣ１１）、その不正検出信号に基づいてエレベータの号機を判別し、監視モニタ３１上の該当する動作表示部３１３に不正操作発生状態を表示する（ステップＣ１２、Ｃ１３）。
【００５４】
続いて、監視装置３２は、不正操作が発生しているエレベータのカメラ映像３１５（ここでは乗りかご内の映像）を出力するように、映像切換手段３４に対して映像切換信号を送信する（ステップＣ１４）。この映像切換信号の送信後、監視装置３２は映像切換手段３４から入力されるカメラ映像３１５を受け取り、これを監視モニタ３１の画面上にウインドウ表示する（ステップＣ１５）。
【００５５】
このように、不正操作があった場合において、上述した一連の動作が瞬間的に行われる。これにより、監視モニタ３１に映し出された不審者の存在をいち早く発見し、警備員の手配等の早急な対応ができる。
【００５６】
なお、ここでは、個人認証機器に対する不正操作を例にして説明したが、これに限るものではなく、エレベータに対する何らかの不正操作があった場合に上述した処理が実行される。
【００５７】
（第２の実施形態）
次に、本発明の第２の実施形態について説明する。
【００５８】
図８は本発明の第２の実施形態に係るエレベータ監視システムの構成を示す図であり、例えば大型マンションなどの建物に設置された複数のエレベータを監視対象とした場合の構成が示されている。なお、基本的な構成は図１（第１の実施形態）と同様であり、ここでは同一部分には同一符号を付してその説明は省略するものとする。
【００５９】
図８において、図１と異なる点は、監視室３に映像記録手段４１が備えられていると共に、監視室３の監視装置３２に第２映像入力手段４２、第２シリアル通信手段４３が備えられていることである。
【００６０】
映像記録手段４１は、例えば磁気ディスク装置などからなり、複数の監視カメラ２３によって撮影された映像を記録するものである。この場合、各監視カメラ２３から連続的に送られてくる映像を一定間隔で切り換えながら、１コマずつの静止画像として映像記録手段４１の各エリアに順次記録していくものとする。第２映像入力手段４２は、映像記録手段４１に記録された監視カメラ２３の映像を入力する部分である。第２シリアル通信手段４３は、映像記録手段４１との間でシリアル通信を行う部分である。
【００６１】
図９は第２の実施形態における監視モニタ３１の画面構成を示す図である。
【００６２】
上記第１の実施形態と同様に、監視モニタ３１には、バンク３１２内の動作表示部３１３にエレベータの動作状態が表示され、その中の任意の動作表示部３１３をカーソル３１４で選択することで、該当するエレベータのカメラ映像３１５（乗りかご内の状態）がウインドウ表示される。
【００６３】
ここで、第２の実施形態では、カメラ映像３１５のウインドウ画面の周辺に「再生」ボタン３１８、「早送り」ボタン３１９、「逆再生」ボタン３１７、「早戻し」ボタン３１６、「一時停止」ボタン３２１、「終了」ボタン３２０といった各種操作ボタン（アイコン）が表示される。「再生」ボタン３１８をクリックすると、現在時刻から所定時間戻ってカメラ映像の再生が行われ、そのときに「早送り」ボタン３１９をクリックすると早送りで再生することができる。
【００６４】
また、「逆再生」ボタン３１７をクリックすると、現在時刻を基点にしてカメラ映像の逆再生が行われ、そのときに「早戻し」ボタン３１６をクリックすると早戻しで逆再生することができる。「一時停止」ボタン３２１は現在の表示動作を一時停止するためのボタンであり、「終了」ボタン３２０はカメラ映像の表示動作を終了するためのボタンである。
【００６５】
監視員がこれらの操作ボタンをクリックすると、その操作ボタンに対応した制御信号が当該エレベータの識別信号と共に第２シリアル通信手段４３を介して映像記録手段４１送信される。映像記録手段４１では、入力された制御信号と識別信号に従った動作を行う。例えば「再生」ボタン３１８がクリックされた場合には、映像記録手段４１は、識別信号によって特定されるエレベータのカメラ映像を対象として、現在時刻から所定時間戻った時刻からそのカメラ映像を順次読み出して監視装置３２に出力する。監視装置３２では、第２映像入力手段４２を介してカメラ映像を受信することにより、監視モニタ３１上に再生出力する。
【００６６】
また、「再生」ボタン３１８が押されたときの基準となる時刻は、現在時刻に限るものではなく、例えば異常発生時や不正検出時における時刻をあらかじめ記憶しておき、その時刻に最も近い監視カメラ映像を再生するようにしても良い。
【００６７】
なお、映像記録手段４１に記録されたカメラ映像（１コマずつ連続した静止画像）の入力方法としては、アナログ信号で入力する方法でも、ＪＰＥＧ等でデジタル化された信号をＬＡＮ等のシリアル接続で入力する方法であっても良い。
【００６８】
以下に、このとき処理動作について説明する。
【００６９】
図１０は本システムにおけるカメラ映像再生時の処理動作を示すフローチャートである。今、監視モニタ３１上でバンク３１２の中の任意の動作表示部３１３がカーソル３１４にて選択され、それに対応するエレベータのカメラ映像３１５が表示された状態にあるものとする。このとき、図９に示すようにカメラ映像３１５の下部などに各種操作ボタン３１６〜３２１が表示される。
【００７０】
ここで、監視モニタ３１上で「再生」ボタン３１８がクリックされたことが検知された場合（ステップＤ１１のＹｅｓ）、監視装置３２は現在時刻から所定時間前の時刻信号と再生制御信号と号機種別信号を映像記録手段４１に送信する（ステップＤ１２）。上記号機種別信号は、エレベータの号機を識別するための信号であり、ここでは現在表示中のカメラ映像３１５に対応したエレベータの号機識別番号（図９の例ではＡ１−８）である。また、監視モニタ３１上で「逆再生」ボタン３１７がクリックされたことが検知された場合（ステップＤ１３のＹｅｓ）、監視装置３２は現在時刻の時刻信号と逆再生制御信号と号機種別信号を映像記録手段４１に送信する（ステップＤ１４）。
【００７１】
映像記録手段４１では、これらの信号に基づいて該当する時刻のカメラ映像を読み出して監視装置３２に出力し、監視装置３２はそのカメラ映像を受け取って監視モニタ３１に再生表示する（ステップＤ１５）。この場合、「再生」ボタン３１８の操作では現在時刻から所定時間戻った時刻からの再生映像が表示され、「逆再生」ボタン３１７の操作では現在時刻から逆方向に再生映像が表示されることになる。
【００７２】
この状態で、「終了」ボタン３２０以外の操作ボタンがクリックされた場合には（ステップＤ１６のＹｅｓ）、その操作ボタンに応じた制御信号が映像記録手段４１に送られて、当該制御信号に従った動作が行われることになる（ステップＤ１７）。すなわち、例えば再生中に「早送り」ボタン３１９がクリックされたとすると、現在再生中のカメラ映像が早送りで再生されることになる。
【００７３】
また、「終了」ボタン３２０がクリックされた場合には（ステップＤ１８のＹｅｓ）、監視装置３２は映像記録手段４１に対して終了信号を送信して、カメラ映像の画面表示をクリアする（ステップＤ１９）。
【００７４】
このように、映像記録手段４１に記録された各エレベータのカメラ映像を監視モニタ３１上での操作にて簡単な再生することができる。したがって、例えば異常が発生した場合に、従来のように監視員が現場まで行って、そこに設置された記録装置からカメラ映像を取り出すことをしなくとも、所望のカメラ映像を即座に確認して的確な対応を取ることができるものである。
【００７５】
なお、上記第１および第２の実施形態では、監視対象とする設備がエレベータである場合を想定したが、本発明はエレベータに限らず、例えばエスカレータなどであっても同様に適用可能である。さらに、監視カメラの設置場所についても、乗りかご内だけでなく、例えばエレベータの乗場やエスカレータの乗降口などであっても良い。
【００７６】
要するに、本発明は上記各実施形態に限定されるものではなく、実施段階ではその要旨を逸脱しない範囲で種々に変形することが可能である。更に、上記各実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【００７７】
【発明の効果】
以上詳記したように本発明によれば、１台のモニタ画面上で監視対象設備の動作状態とカメラ映像を関連付けて確認することができる。したがって、例えば複数のエレベータを監視対象とした場合に、これらのエレベータの動作状態と監視カメラの映像を一つの画面上で監視しながら、異常発生時などに迅速かつ的確に対応することができる。
【図面の簡単な説明】
【図１】本発明の第１の実施形態に係るエレベータ監視システムの構成を示す図。
【図２】上記エレベータ監視システムに設けられた監視モニタの画面構成を示す図。
【図３】上記監視モニタ上でバンク内の任意の動作表示部をカーソル選択した状態を示す図。
【図４】上記監視モニタ上でカーソル選択された動作表示部に対応したエレベータのカメラ映像を表示した状態を示す図。
【図５】上記エレベータ監視システムにおける画面操作時の処理動作を示すフローチャート。
【図６】上記エレベータ監視システムにおける異常発生時の処理動作を示すフローチャート。
【図７】上記エレベータ監視システムにおける不正操作検出時の処理動作を示すフローチャート。
【図８】本発明の第２の実施形態に係るエレベータ監視システムの構成を示す図。
【図９】第２の実施形態におけるエレベータ監視システムに設けられた監視モニタの画面構成を示す図。
【図１０】第２の実施形態におけるエレベータ監視システムのカメラ映像再生時の処理動作を示すフローチャート。
【符号の説明】
１…エレベータ機械室、２…昇降路、３…監視室、１１…エレベータ制御盤、１２…信号変換器、２１…乗客、２２…乗りかご、２３…監視カメラ、３１…監視モニタ、３２…監視装置、３３…ＨＵＢ、３４…映像切換手段、３５…エレベータ通信手段、３６…映像入力手段、３７…シリアル通信手段、３１１…設備配置図、３１２…バンク、３１３…動作表示部、３１４…カーソル、３１５…カメラ映像、４１…映像記録手段、４２…第２映像入力手段、４３…第２シリアル通信手段、３１７〜３２１…操作ボタン。
【図１】
2004252763.tif 000003
【図２】
2004252763.tif 000004
【図３】
2004252763.tif 000005
【図４】
2004252763.tif 000006
【図５】
2004252763.tif 000007
【図６】
2004252763.tif 000008
【図７】
2004252763.tif 000009
【図８】
2004252763.tif 000010
【図９】
2004252763.tif 000011
【図１０】
2004252763.tif 000012